(57)【特許請求の範囲】
【請求項１】
ロール状のフィルムを一定の張力を保ちながら供給するフィルム供給装置と、該フィルムを二つ折りにし、その折り目を熱押ししてくせをつける折り畳み装置と、二つ折りされた該フィルムの中にカードを１枚づつ供給するカード供給装置と、該カードが供給されたフィルムを所定のピッチで順次送り出すフィルム送出装置と、前記カードが供給されたフィルムを熱溶着すると共に該フィルムを切断し、カード供給済ケースを形成する熱カット装置とを具備しているカード封入装置。
【請求項２】
請求項１記載のカード封入装置において、前記フィルム供給装置は、筒と、該筒の上部に配置され、前記フィルムをたるませた状態で保持するローラと、前記筒の下部に配置されたファンと、前記筒内に配置されたセンサを備え、前記ファンは、前記筒内の空気を吸い出して前記フィルムに張力を与え、前記センサは、前記たるませたフィルムのたるみの下端を検出することを特徴とするカード封入装置。
【請求項３】
請求項１又は２記載のカード封入装置において、前記折り畳み装置は、送られてきたフィルムを二つ折りにする逆三角形板と、前記二つ折りにされたフィルムの折目部分を挟むように対向配置された一対のヒータ付ブロックとを具備し、該ヒータ付ブロックの一方は上下方向に可動し、他方は固定されており、一対のヒータ付ブロックは、前記二つ折りにされたフィルムの折り目に折りぐせが付く間、互いに密着することを特徴とするカード封入装置。
【請求項４】
請求項１乃至３のいずれかに記載のカード封入装置において、前記カード供給装置は、二つ折りにされたフィルムの口を所定幅開かせるための固定ガイドと、前記二つ折りにされたフィルムの中に位置し、前記カードを吸着するカード吸着テーブルと、積層されたカードを上から１枚づつ取出し、該カードをフィルムの開口部から挿入させ、前記吸着テーブル上に移載するカード取出装置とを具備することを特徴とするカード封入装置。
【請求項５】
請求項１乃至４のいずれかに記載のカード封入装置において、前記フィルム送出装置が、所定の幅で往復動する往復スライドテーブルと、該往復スライドテーブルに設けられ、前記二つ折りされたフィルムに対して接離自在である可動ローラと、該可動ローラに対向して配置され、前記可動ローラと共に前記二つ折りにされたフィルムを挾持し、前記フィルムの位置調整をする駆動ローラとを具備することを特徴とするカード封入装置。
【請求項６】
請求項１乃至５のいずれかに記載のカード封入装置において、さらに、前記フィルム送出装置から送出されたフィルム内のカードをフィルムの折り目部分の方へ押し込むカード押し込み装置を設けたことを特徴とするカード封入装置。
【請求項７】
請求項１乃至６のいずれかに記載のカード封入装置において、さらに、前記熱カット装置により形成された前記カード供給済ケースを１枚づつ積層するカード封入済ケース収納装置を設けたことを特徴とするカード封入装置。
【発明の詳細な説明】
【０００１】
【発明の属する技術分野】
本発明は、テレホンカードなどのプリペードカードを１枚ずつポリ袋に封入する装置に関するものであり、特にポリ袋へのカード封入作業を高速で自動処理する装置に関するものである。
【０００２】
【従来の技術】
テレホンカード等のプリペードカード（以下カードと呼ぶ）は、自動販売機による場合を除き１枚毎にポリ袋に封入され最終的に紙袋に封入して販売されているのが一般的であるが、この封入作業は人手で行われているのが実状であった。この問題を解消するためポリ袋へカードを自動的に封入する装置が熱望され、いくつかの自動封入装置が考案された。
【０００３】
従来の自動封入装置は、既製の袋に封入するものであったり、供給フィルムを折らずに２枚貼り合わせのものであった。
【０００４】
【発明が解決しようとする課題】
カードは一般に金券であるため１枚ずつ確実に封入し、誤封入が絶対に生じないようにすること、封入処理枚数の誤りが生じないこと、更に所定数のカード封入の処理毎に紙又は樹脂製フィルムにて包装し、封入品が脱落しないようにすることが必要である。しかも、テレホンカード等のカードはユーザーに渡る時、ほとんどポリ袋に封入されているため、カード封入の処理の高速化も要求される。
【０００５】
しかしながら、従来の自動封入装置では、既製の袋に封入するものであったり、供給フィルムを折らずに２枚貼り合わせのものであったため、１枚ずつ確実に封入し、封入処理枚数の誤りが生じないこと等を考慮に入れて処理をすると、フィルム供給に手間がかかり、処理速度が毎分２０〜４０枚程度と遅かったりして短時間で大量の処理ができなかった。
【０００６】
本発明の課題は、上記問題点を解決し、封入処理速度を毎分１２０枚以上の高速で行わせることができるカード封入装置を提供することである。
【０００７】
【課題を解決するための手段】
本発明によれば、ロール状のフィルムを一定の張力を保ちながら供給するフィルム供給装置と、該フィルムを二つ折りにし、その折り目を熱押ししてくせをつける折り畳み装置と、二つ折りされた該フィルムの中にカードを１枚づつ供給するカード供給装置と、該カードが供給されたフィルムを所定のピッチで順次送り出すフィルム送出装置と、前記カードが供給されたフィルムを熱溶着すると共に該フィルムを切断し、カード供給済ケースを形成する熱カット装置とを具備しているカード封入装置が得られる。
【０００８】
【作用】
本発明に係るカード封入装置によれば、カードのポリ袋への高速封入と所定数の包装が人手によらず自動的に誤り無く行える。
【０００９】
【発明の実施の形態】
以下、本発明のカード封入装置の実施例について図面を参照して詳細に説明する。
【００１０】
図１は本発明に係るカード封入装置の構造を示した正面図であり、図２は、図１に示したカード封入装置の平面図である。１はフィルム供給装置、２は折り畳み装置、３はカード供給装置、４はフィルム送出装置、５は熱カット装置、６は封入品収納装置、７は包装装置である。
【００１１】
次に、本発明に係るカード封入装置を構成している各装置の動作を具体的に説明する。フィルム供給装置１において、図３に示すように、モータ１５によって回転駆動する幅にロール状に巻き付けられたフィルム８は、筒１７の上部に配置された２個のローラ１６を介して筒１７の内部にたるみをもたせながら折り畳み装置２に供給される。このとき、筒１７の下部に配置されているファン１８は、筒１７内のフィルム８のたるみが常に下方に引っ張られるように前記筒内の空気を吸い出してフィルム８に張力を与えている。さらに、筒１７の上部及び下部には、それぞれ上限センサ２０と下限センサ１９が取り付けられている。例えば、フィルム８のたるみが下限センサ１９の位置しているところまで降下した場合には、下限センサ１９からの信号によりモータ１５を駆動させ、フィルム８を軸に巻き付けるように回転させる。又、フィルム８のたるみが上限センサ２０の位置しているところまで上昇した場合には、上限センサ２０からの信号によりモータ１５を駆動させ、フィルム８を折り畳み装置２の方に供給するように回転させる。従って、上記したように筒１７内では、常にフィルム８のたるみが上限センサ２０と下限センサ１９の間にあるので、フィルム８に一定の張力を与えることができる。
【００１２】
折り畳み装置２は、図３に示すように逆三角板２１とヒータブロック２２，２３で構成されている。逆三角板２１は、図４（ａ）、図４（ｂ）に示すようにフィルム供給装置１から送られてきたフィルム８を二つ折りにする。ヒータ付ブロック２２，２３は互いに対向するよう配置され、上部に位置するヒータ付ブロック２２は上下に可動し、下部に位置するヒータ付ブロック２３は固定されている。前記二つ折りされたフィルム８はヒータ付ブロック２２，２３の間を通過するが、このときヒータ付ブロック２２が下降し、フィルム８の折り目部分をヒータ付ブロック２３と共に挟み込む。このときヒータ付ブロック２２，２３は、互いに密着し、フィルム８の折り目を熱プレスし、折りくせをつける。尚、ヒータブロック２２はカム２４にて上下のストロークとタイミングが割り付けられている。
【００１３】
カード供給装置３は、図３、図５に示すように、二つ折りにされたフィルム８の口を所定幅開かせるための固定ガイド２８と、二つ折りにされたフィルム８の中に位置し、前記カードを吸着するカード吸着テーブル３９と、積層されたカードを上から１枚づつ取出し、該カードをフィルム８の開口部から挿入させ、前記吸着テーブル上に移載するカード取出装置とで構成されている。該カード取出装置は、オシレートハンドラ２６と吸着ハンド２７から構成されている。
【００１４】
カード供給装置３において、固定ガイド２８は断面コの字型状であり、二つ折りしたフィルム８の口は固定ガイド２８の底板によって開かれる。即ち、フィルム８の口が開かれることによってその開口部にカードが挿入しやすくなる。エレベータ２５は、その上板に積層されている複数のカード９の最上部の位置を所定の高さに位置決めするために上下に可動する。吸着ハンド２７はオシレートハンドラ２６により作動し、吸着テーブル３９はフィルム送出装置４のオシレートドライブ３２により作動する。エレベータ２５の上板に積層されているカード９は吸着ハンド２７により、吸着テーブル３９上に吸着移載される。
【００１５】
フィルム送出装置４は、所定の幅で往復動する往復スライドテーブル３４と、往復スライドテーブル３４に設けられ、二つ折りされたフィルム８に対して接離自在である可動ローラ３５と、可動ローラ３５に対向して配置され、可動ローラ３５と共に二つ折りにされたフィルム８を挾持し、フィルム８の位置調整をする駆動ローラ３６とを具備して構成されている。
【００１６】
フィルム送出装置４において、往復スライドテーブル３４はオシレートドライブ３２により作動する。往復スライドテーブル３４には、パルスモータ３７によって回転駆動する駆動ローラ３６と、フィルム８を挾持するため上下可動する可動ローラ３５とが互いに対向する位置に取り付けられている。尚、可動ローラ３５はカム３８により上下のストロークとタイミングが割り付けられている。
【００１７】
ここで、フィルム送出装置４の動作を説明する。エレベータ２５の上板に積層されているカード９が吸着ハンド２７により吸着テーブル３９上に吸着移載された後、可動ローラ３５が下降し、駆動ローラ３６と共に二つ折りにされたフィルム８の折り目部分を挾持し、それと同時にオシレートドライブ３２が駆動して、往復スライドテーブル３４がフィルム８の進行方向に移動する。又、往復スライドテーブル３４の移動と同時に吸着テーブル３９もフィルム８の進行方向に移動する。尚、このときの移動量はほぼカードの長さに等しい。移動し終わった後、可動ローラ３５が上昇し、フィルム８の折り目部分を離す。その後、カード押し込み装置３０はフィルム８内のカード９をフィルム８の折り目部分の方へ押し込む。尚、カード押し込み装置３０はフィルム８の進行方向と直角な方向に可動する。その後、オシレートドライブ３２の駆動により、フィルム８の進行とは逆方向に往復スライドテーブル３４及び吸着テーブル３９が移動する。この吸着、及び、吸着テーブル３９上にカード９が移載され、可動ローラ３５が下降し、駆動ローラ３６と共に二つ折りにされたフィルム８の折り目部分を挾持し、往復スライドテーブル３４がフィルム８の進行方向に移動するという動作が繰り返される。尚、フィルム８の微妙な移動量の調整はパルスモータ３７によって駆動ローラ３６を適宜駆動することにより行われる。
【００１８】
熱カット装置５は、図７に示すように、カード供給済のフィルムの最先部１３及び最後部１４を熱溶着すると共に切断し、カード供給済ケース１０を形成する。
【００１９】
熱カット装置５において、上下可動するヒータ付刃４１と同じペースに付いているスプリングを介した押し棒４０はヒータ付刃４１の下降と共に板バネ４３を押す。押し棒４０で板バネ４３を押すことによって、フィルム送出装置４にて送られたフィルム８は刃受け台４２に固定される。更にヒータ付刃４１にてフィルム８は熱溶着、カットされる。尚、ヒータ付刃４１はカム４４により上下のストロークとタイミングが割り付けられる。
【００２０】
カード封入済ケース収納装置６は、熱カット装置５により熱溶着され、カットされてできたカード封入済ケース１０を、モータ４６駆動の上部ベルト４７、ベルトコンベア４８に挟み込みながら搬送し、収納枠４９に所定数集積させる。尚、ベルトコンベア４８上にセンサを配置し、カード封入済ケース１０の有無、厚さをチェックしつつカウントを行い、異常があった場合は装置を停止させる。所定数集積させたカード封入済ケース１０は三方シール機等の包装装置７にて包装され、包装品１１となる。
【００２１】
図６は本発明によるカード封入装置を用いてカードを封入する工程図である。フィルム供給装置１からは（ａ）に示されるフィルム８が供給される。（ａ）のフィルム８は、（ｂ）に示すように逆三角形板２１で二つ折りにされる。その後、（ｃ）に示すように、二つ折りにされたフィルム８の熱プレス箇所１２はヒータブロック２２，２３で熱プレスされる。その後、（ｄ）に示すように固定ガイド２８によって、二つ折りにされたフィルム８の口を開かせ、その開口部に吸着ハンド２７で吸着されたカード９が挿入される。その後、往復スライドテーブルに設けられた可動ローラ３５及び駆動ローラ３６によってカード９封入済のフィルム８はカード９の長さ分だけ移動し、その際、（ｅ）に示すように、押し込み装置３０によってカード９をフィルム８の折り目部分にまで押し込む。その後、熱カット装置５によって、（ｆ）及び（ｇ）に示すように、カード供給済のフィルムの最先部１３及び最後部１４を熱溶着すると共に切断し、カード供給済ケース１０を形成する。その後、カード封入済ケース収納装置６によってカード供給済ケース１０が収納枠４９の中に（ｈ）に示すように積層される。その後、所定数集積させたカード封入済ケース１０は三方シール機等の包装装置７にて包装され、（ｉ）に示すような包装品１１となる。
【００２２】
カム２４、カム３１、カム３８、カム４４、オシレートハンドラ２６、動力伝達部材２９（プーリーとベルト）、オシレートドライブ３２、動力伝達部材３３（プーリーとベルト）はモータ４５により同一軸で駆動されるため、上記各装置の動作は完全に同期する。
【００２３】
従って、互いの機構動作が完全同期しているため、高速運転が可能になり、本実施例では、毎分１２０枚を越える処理速度で、誤りの無い自動封入処理を実現することが確かめられた。
【００２４】
【発明の効果】
以上述べたように、本発明に係るカード封入装置によれば、テレホンカード等のプリペードカードを毎分１２０枚以上の高速で、かつ誤封入が無く所定数を包装するまで人手を使わず自動で行うことが可能となる。
【００２５】
さらに、所定数をパック包装するまでの作業に人手が全く関与しない為、封入数量の誤りや、予期しない抜き取りなどの事故を妨げ、セキュリティの確保も確実に行える。
【図面の簡単な説明】
【図１】本発明に係るカード封入装置の構造を示した正面図である。
【図２】図１に示したカード封入装置の平面図である。
【図３】図１に示したカード封入装置の構成略図である。
【図４】図４は図１に示すカード封入装置の折り畳み装置を示し、（ａ）は折り畳み装置の側面図であり、（ｂ）は折り畳み装置の正面図である。
【図５】図５は図１に示すカード封入装置のカード供給装置及びフィルム送出装置の斜視図である。
【図６】図１におけるカード封入装置におけるカード封入工程を示した工程図である。
【図７】カードを封入するための袋の構成を示した図である。
【符号の説明】
１    フィルム供給装置
２    熱プレス装置
３    カード供給装置
４    フィルム送出装置
５    熱カット装置
６    封入品収納装置
７    包装装置
８    フィルム
９    カード
１０    カード封入済ケース
１１    包装品
１２    熱プレス箇所
１５，４５，４６    モータ
１６    ローラ
１７    筒
１８    ファン
１９    下限センサ
２０    上限センサ
２１    逆三角板
２２，２３    ヒータブロック
２４，３１，３８，４４    カム
２５    エレベータ
２６    オシレートハンドラ
２７    吸着ハンド
２８    固定ガイド
２９，３３    動力伝達部材
３０    押し込み装置
３２    オシレートドライブ
３４    往復スライドテーブル
３５    可動ローラ
３６    駆動ローラ
３７    パルスモータ
３９    吸着テーブル
４０    押し棒
４１    ヒータ付刃
４２    刃受け台
４３    板バネ
４７    上部ベルト
４８    ベルトコンベア
４９    収納枠
【図１】
0004417493.tif 000002
【図２】
0004417493.tif 000003
【図３】
0004417493.tif 000004
【図４】
0004417493.tif 000005
【図５】
0004417493.tif 000006
【図６】
0004417493.tif 000007
【図７】
0004417493.tif 000008